(57)【要約】【課題】コア層のスティッキングの発生を抑制しながらセンサ感度の低下を抑える。【解決手段】光導波路１０は基板１５とコア層１１と支持部と突起部１８とを有する。コア層１１では光が伝搬可能である。支持部は基板１５の少なくとも一部とコア層１１の一部とを接続する。支持部はコア層１１を支持する。突起部１８を基板１５およびコア層１１に挟まれる空間領域において支持部とは異なる位置に配置する。突起部１８はコア層１１の幅方向の中央位置ｃｐから外れた位置で最大高さである。突起部１８は基板１５からコア層１１に向かって突出する。【選択図】図４
2020038189.tif 000002
【特許請求の範囲】
【請求項１】
被測定気体または被測定液体の濃度を測定する光学式濃度測定装置に用いる光導波路であって、
基板と、
長手方向に沿って延伸し、光が伝搬可能なコア層と、
前記基板の少なくとも一部と前記コア層の一部とを接続し、前記基板に対して前記コア層を支持する支持部と、
前記基板および前記コア層に挟まれる空間領域において前記支持部とは異なる位置に配置されており、前記コア層の幅方向の中央位置から外れた位置で最大高さとなるように前記基板から前記コア層に向かって突出する突起部と、を備える
光導波路。
【請求項２】
前記支持部は、前記コア層よりも屈折率の小さい材料で形成されている
請求項１に記載の光導波路。
【請求項３】
前記突起部は、前記支持部と同一の材料で形成されている
請求項１または２に記載の光導波路。
【請求項４】
前記突起部は、山形状である
請求項１から３のいずれか１項に記載の光導波路。
【請求項５】
前記突起部は、前記コア層の幅方向において対称である
請求項１から４のいずれか１項に記載の光導波路。
【請求項６】
前記突起部は、前記コア層の幅方向において非対象である
請求項１から４のいずれか１項に記載の光導波路。
【請求項７】
前記突起部は、前記コア層の幅方向の中央位置から、前記コア層の幅の３％以上離れた位置で最大高さである
請求項１から６のいずれか１項に記載の光導波路。
【請求項８】
前記突起部は、前記コア層の幅方向の中央位置から、１００ｎｍ以上離れた位置で最大高さである
請求項１から７のいずれか１項に記載の光導波路。
【請求項９】
前記突起部の最大高さは、前記コア層および前記基板の間隔の１／２０以上である
請求項１から８のいずれか１項に記載の光導波路。
【請求項１０】
前記突起部の最大高さは、１００ｎｍ以上である
請求項１から９のいずれか１項に記載の光導波路。
【請求項１１】
前記長手方向に沿って延びる前記コア層は、曲線状に延びる部分を含み、
前記突起部は、前記曲線状に延びる部分の直下に配置されている
請求項１から１０のいずれか１項に記載の光導波路。
【請求項１２】
前記突起部は、前記曲線状に延びる部分において、前記コア層の内周側に偏った位置で前記コア層の直下に配置されている
請求項１１に記載の光導波路。
【請求項１３】
前記突起部は、前記曲線状に延びる部分において、前記コア層の外周側に偏った位置で前記コア層の直下に配置されている
請求項１１に記載の光導波路。
【請求項１４】
前記突起部は、前記コア層の長手方向に沿って断続的に存在する
請求項１から１３のいずれか１項に記載の光導波路。
【請求項１５】
前記コア層の少なくとも一部は、露出、または、薄膜により被覆されている、
請求項１から１４のいずれか１項に記載の光導波路。
【請求項１６】
前記コア層を伝搬する光はアナログ信号としての赤外線である
請求項１から１５までのいずれか１項に記載の光導波路。
【請求項１７】
請求項１から１６までのいずれか１項に記載の光導波路と、
前記コア層に光を入射可能な光源と、
前記コア層を伝搬した光を受光可能な検出部と、を備える
光学式濃度測定装置。
【請求項１８】
前記光源は真空波長が２μｍ以上１２μｍ未満の赤外線を前記コア層に入射する
請求項１７に記載の光学式濃度測定装置。
【発明の詳細な説明】
【技術分野】
【０００１】
本発明は、光導波路及び光学式濃度測定装置に関する。
【背景技術】
【０００２】
結晶などで形成された薄膜などの構造体を形成する材料の屈折率が構造体の外部の材料の屈折率よりも大きいとき、構造体の中を伝搬する光は、構造体と構造体の外部との界面で全反射を繰り返しながら進行していく。
【０００３】
図１７に示すように、構造体５１の中を伝搬する光Ｌは、構造体５１と物質５３との界面で全反射するとき、構造体５１の内部を伝搬する光の他に屈折率の小さい物質５３側に染み出す。この染み出しは、エバネッセント波と呼ばれ、光Ｌが構造体５１を伝搬していく過程で構造体５１に隣接している物質によって吸収されうる。図１７では、構造体５１の内部を伝搬する光Ｌの強度が光強度Ｅ１として図示され、エバネッセント波の強度が光強度Ｅ２として図示されている。このため、構造体５１を伝搬している光Ｌの強度変化から、構造体５１に接している物質５３の検出や同定などが可能になる。上述したエバネッセント波の原理を利用した分析法は、全反射吸収分光（ＡＴＲ：Ａｔｔｅｎｕａｔｅｄ  Ｔｏｔａｌ  Ｒｅｆｌｅｃｔｉｏｎ）法と呼ばれ、物質の化学組成分析などに利用されている。
【０００４】
特許文献１には、ＡＴＲ法をセンサに応用した光導波路型センサが提案されている。この光導波路型センサは、基板の上にコア層を形成して光を通し、エバネッセント波を利用してコア層に接する物質を検出するようになっている。
【０００５】
コア層を伝搬させる光としては赤外線を用いることが一般的である。物質には特定の波長の赤外線を選択的に吸収する特性があるため、被測定物質の吸収スペクトルに合わせた赤外線を伝搬させることで、物質の分析やセンシングを行うことが出来る。
【０００６】
センサの感度を向上させるためには、コア層における光学的損失を小さくし、また、被測定物質とエバネッセント波が相互作用する領域を大きくすることが求められる。その方法として、例えば、断続的に並んだ支持構造体を用いて導波路の一部を基板に対して浮かせる構造等が提案されている。
【先行技術文献】
【特許文献】
【０００７】
【特許文献１】特開２００５−３００２１２号公報
【発明の概要】
【発明が解決しようとする課題】
【０００８】
しかし、導波路の一部を基板に対して浮かせる構造ではセンサの機械的強度が低下してしまい、信頼性が低かった。このように、センサの高感度および高信頼性を備わせることは難しかった。
【０００９】
本発明は、高感度および高信頼性を実現させる光導波路および光学式濃度測定装置を提供することを目的とする。
【課題を解決するための手段】
【００１０】
上記目的を達成するために、本発明の一態様による光導波路は、
被測定気体または被測定液体の濃度を測定する光学式濃度測定装置に用いる光導波路であって、
基板と、
長手方向に沿って延伸し、光が伝搬可能なコア層と、
前記基板の少なくとも一部と前記コア層の一部とを接続し、前記基板に対して前記コア層を支持する支持部と、
前記基板および前記コア層に挟まれる空間領域において前記支持部とは異なる位置に配置されており、前記コア層の幅方向の中央位置から外れた位置で最大高さとなるように前記基板から前記コア層に向かって突出する突起部と、を備えることを特徴とする。
【００１１】
さらに、上記目的を達成するために、本発明の一態様による光学式濃度測定装置は、上記本発明のいずれかの態様による光導波路と、前記コア層に光を入射可能な光源と、前記コア層を伝搬した光を受光可能な検出部と、を備えることを特徴とする。
【発明の効果】
【００１２】
本発明によれば、センサの高感度および高信頼性を実現させる光導波路および光学式濃度測定装置を提供することが可能となる。
【図面の簡単な説明】
【００１３】
【図１】本発明の実施形態による光導波路並びに光学式濃度測定装置１の概略構成と、光学式濃度測定装置を利用したＡＴＲ法によるセンシングとを説明する図である。
【図２】本発明の実施形態による光導波路の部分的な構成を示す図であって、光導波路の一部を基板の主面に対して光源または光検出器側から見た平面図である。
【図３】本発明の実施形態による光導波路の概略構成を示す図であって、図１中のＡ−Ａ線で切断した光導波路の端面図である。
【図４】本発明の実施形態による光導波路の概略構成を示す図であって、図１中のＢ−Ｂ線で切断した光導波路の端面図である。
【図５】本発明の別の実施形態による光導波路の部分的な構成を示す図であって、光導波路の一部を基板の主面に対して光源または光検出器側から見た平面図である。
【図６】本発明の実施形態による光導波路の製造方法を説明するための、ＳＯＩ基板の平面図である。
【図７】図６のＳＯＩ基板をＣ−Ｃ線、Ｄ−Ｄ線で切断した断面を示す端面図である。
【図８】本発明の実施形態による光導波路の製造方法を説明するための、光導波路主要部の平面図である。
【図９】図８の光導波路主要部をＣ−Ｃ線、Ｄ−Ｄ線で切断した断面を示す端面図である。
【図１０】本発明の実施形態による光導波路の製造方法を説明するための、一部をマスクパターンで覆った光導波路主要部の平面図である。
【図１１】図１０の光導波路主要部をＣ−Ｃ線で切断した断面を示す端面図である。
【図１２】図１０の光導波路主要部をＤ−Ｄ線で切断した断面を示す端面図である。
【図１３】本発明の実施形態による光導波路の製造方法を説明するための、ＢＯＸ層の一部を除去した光導波路主要部の平面図である。
【図１４】図１３の光導波路主要部をＣ−Ｃ線で切断した断面を示す端面図である。
【図１５】図１３の光導波路主要部をＤ−Ｄ線で切断した断面を示す端面図である。
【図１６】本発明の別の実施形態による光導波路主要部を、図１３中に示す光導波路主要部のＣ−Ｃ線と同じ位置で切断した断面を示す端面図である。
【図１７】光導波路を伝搬する光のエバネッセント波を説明するための図である。
【図１８】断続的な支持部を持ち、さらに断続的な支持部の間に突起部を設けた光導波路を説明するための図である。
【図１９】本発明の実施形態による光導波路の電子顕微鏡による観察解析結果を示す図であって、突起部の幅方向における頂点位置と、コア層の影の幅方向における中央位置がずれていることを示す平面図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
＜光導波路＞
本発明の実施態様に係る光導波路は、被測定気体または被測定液体の濃度を測定する光学式濃度測定装置に用いる光導波路であって、基板と、長手方向に沿って延伸し且つ光が伝搬可能なコア層と、基板の少なくとも一部とコア層の一部とを接続し基板に対してコア層を支持する支持部と、基板およびコア層に挟まれる空間領域において支持部とは異なる位置に配置されておりコア層の幅方向の中央位置から外れた位置で最大高さとなるように基板からコア層に向かって突出する突起部と、を備えている。なお、長手方向とは、少なくとも１方向に沿って延伸している形状の三次元構造物における、最も長く延びている方向であって、直線状の方向だけでなく、曲線状の方向を含む。また、基板およびコア層に挟まれる空間領域において支持部とは異なる位置とは、当該空間領域内において、長手方向および幅方向の少なくとも一方において支持部が存在しない位置である。また、幅方向とは、本実施態様において、コア層の長手方向に垂直且つ基板の主面に平行な方向である。基板の主面とは、基板の板厚方向に垂直な表面であって、さらに言換えると、本実施態様において、基板を形成する６面の中で、面積が最大である面である。さらに、コア層は曲線状に延びる部分を含み、かつ突起部はコア層の曲線状に延びる部分と基板とに挟まれる空間領域、言い換えると、突起部はコア層の曲線状に延びる部分の直下に配置されていてよい。なお、直下とは、コア層から基板に向かう方向を上下方向と定めた場合における、まっ直ぐ下であることを意味する。突起部は、コア層の曲線状に延びる部分において、コア層の内周側もしくは外周側に偏った位置でコア層の直下に配置されていてよい。
【００１６】
ＡＴＲ法を利用したセンサでは、エバネッセント波と被測定物質との相互作用量を増加させること、及び、被測定物質以外の材料への光吸収を低減させることによりセンサ感度を向上させることができる。被測定物質以外の材料への光吸収を低減させるためには、コア層を支える支持部を、コア層の基板に相対する面の一部に部分的に存在させ、コア層の多くの部分を露出させることが有効である。支持部に接続されずに基板に対して浮いているコア層の部分には、結露などにより当該一部と基板の間に生じる水分によるメニスカス力により、当該一部が基板上に張付くスティッキングが発生し得る。スティッキングが発生すると、導波路の一部浮かせた構成を維持できず、センサの感度が著しく低下する。これに対して、基板の面に構造物を設けることによりスティッキング発生の可能性は低減する。また、スティッキングは従来、可動部を有するいわゆるＭＥＭＳ（Ｍｉｃｒｏ  Ｅｌｅｃｔｒｏ  Ｍｅｃｈａｎｉｃａｌ  Ｓｙｓｔｅｍｓ）デバイスにおいて問題視されることが多いが、先述のようなメニスカス力に起因するスティッキングについては、可動部を有していない構造においても対策することが求められる。
【００１７】
このような構成の光導波路として、基板と、基板上に配置されたコア層と、基板とコア層の一部とを接続し基板に対してコア層を断続的に支持する支持部と、基板からコア層に向かって突出する突起部と、を備える光導波路が考えられる。このような構成の光導波路では、突起部によりコア層の基板への張付きが防がれるので、スティッキングの発生の可能性が低減する。ただし、基板とコア層との間に突起部を確実に形成するために、突起部をコア層の幅方向の中央に存在させると、コア層の幅方向中央近傍で最大の強度で染み出すエバネッセント波が突起部によって光吸収される虞がある。
【００１８】
本実施態様に係る光導波路によれば、突起部のコア層に向かう最大高さの位置がコア層の幅方向の中央位置から外れている。つまり、突起部の中でコア層に最も近づく部分が、光が主に伝搬するコア層の幅方向の中心から離れた位置に設けられている。これにより、本実施態様に係る光導波路によれば、コア層の幅方向の中央位置から外れた位置において最大高さとなる突起部が設けられているので、コア層のスティッキング発生を抑制しながら、突起部によるエバネッセント波の光吸収を低減させ得る。このため、本実施態様に係る光導波路を備える光学式濃度測定装置において、スティッキングによる光導波路の故障の可能性を低減させながら測定感度を向上させることが可能になり、高感度および高信頼性が実現され得る。また、突起部は、コア層の曲線状に延びる部分と基板とに挟まれる空間領域に配置されている。これにより、本実施態様に係る光導波路は、直線状の部分よりスティッキングが発生し易い曲線状の部分における、スティッキングの発生を抑制し得る。また、突起部はコア層の曲線状に延びる部分において、コア層の内周側もしくは外周側に偏った位置でコア層の直下に配置されている。コア層の曲線状に延びた部分を伝搬する光は、コア層の曲率半径によっては、コア層の外周側に若干偏ってコア層内を伝搬するため、コア層の内周側に偏った位置に突起部を配置する方がより好ましい。突起部がコア層の曲線状に延びる部分において、コア層の内周側に偏った位置でコア層の直下に配置された光導波路は、突起部と伝搬光の距離がより離れるので、突起部によるエバネッセント波の光吸収をより低減させ得る。ただし、突起部がコア層の曲線状に延びる部分において、コア層の外周側に偏った位置でコア層の直下に配置された光導波路でも、突起部と伝搬光の距離が離れるため、一定の効果はある。また、本実施態様に係る光導波路では、コア層は可動部を有していなくてもよい。
【００１９】
以下、光導波路を構成する各構成要件について、具体例を挙げて説明する。
【００２０】
＜コア層＞
コア層は、長手方向に沿って延伸し且つ光が長手方向に沿って伝搬可能であれば特に制限されない。具体的には、シリコン（Ｓｉ）やガリウムひ素（ＧａＡｓ）、ゲルマニウム（Ｇｅ）等で形成されたコア層が挙げられる。なお、長手方向とは、少なくとも１方向に沿って延伸している形状の三次元構造物における、最も長く延びている方向であって、直線状の方向だけでなく、曲線状の方向を含む。コア層の長手方向に沿った任意の位置における垂直な断面は、円形に限定されず、当該断面の中心から外表面までの距離が当該断面の中心を軸にした回転によって変動する任意の形状、例えば矩形であってよい。したがって、コア層は、本実施態様において長尺の板状である。
【００２１】
また、コア層の少なくとも一部は、露出することにより被測定気体または被測定液体と直接接触可能、または、コア層を伝搬する光の真空波長の１／４よりも薄い薄膜に被覆されることにより当該薄膜を介して被測定気体または被測定液体と接触可能であってもよい。これにより、エバネッセント波と被測定気体または被測定液体を相互作用させ、被測定気体または被測定液体の濃度を測定することが可能となる。
【００２２】
また、コア層は曲線状に延びる部分を含んでよい。これにより、コア層全体を平面視した際の、コア層の輪郭のアスペクト比を１に近づけ得るので、光導波路および光学式濃度測定装置が小型化され得る。また、コア層の長手方向における少なくとも一部には、長手方向と垂直な断面においてコア層および基板の間の全領域に、後述の支持部が存在しなくてもよい。これにより、コア層から染み出すエバネッセント波と周囲の気体または液体との相互作用量を増加させることが可能となる。なお、支持部が存在しないとは、コア層が、長手方向において互いに隣接する、２つの支持部の間に架渡されていることである。さらには、支持部が存在しないとは、コア層の基板に対向する全領域は、長手方向において互いに隣接する２つの支持部の間で、空隙、または、コア層が伝搬する光の吸収率が支持部よりも低い媒質を、基板との間に有することである。
【００２３】
コア層を伝搬する光はアナログ信号としての赤外線であってもよい。ここでアナログ信号としての赤外線とは、光のエネルギーの変化を０（低レベル）および１（高レベル）の２値で判定するのではなく、光のエネルギーの変化量を扱う信号であることを意味する。これにより、各実施態様に係る光導波路をセンサや分析装置に適用することができる。またこの場合、赤外線の真空波長は２μｍ以上１２μｍ以下であってもよい。この波長帯は環境に代表的に浮遊するガス（ＣＯ２、ＣＯ、ＮＯ、Ｎ２Ｏ、ＳＯ２、ＣＨ４、Ｈ２Ｏ、Ｃ２Ｈ６Ｏ等）が吸収する波長帯である。これにより各実施態様に係る光導波路をガスセンサとして利用することができる。
【００２４】
＜基板＞
基板は、基板上に支持部、突起部、及びコア層を形成可能であれば特に制限されない。具体的には、シリコン基板やＧａＡｓ基板等が挙げられる。基板の主面とは、基板の水平方向（膜厚方向に垂直な方向）の表面を指す。基板の表面は、必ずしも露出していなくてもよく、一部が支持部および突起部と同じ材料の薄膜により覆われていてもよい。なお、基板の表面が露出していない場合、後述する突起部の高さとは、基板の表面を基準とした突起部表面の高さではなく、コア層直下の領域における当該薄膜表面のうち、最も低くなる位置を基準とした場合の突起部表面の高さを指す。
【００２５】
＜支持部＞
支持部は、基板の少なくとも一部とコア層の一部とを接続する。また、支持部は、基板に対してコア層を支持するようになっている。
【００２６】
また、支持部は、基板及びコア層を接合可能であれば特に制限されないが、好ましくは任意の波長の光またはコア層を伝搬する光に対してコア層よりも屈折率が小さい材料である。一例として、支持部の形成材料として、シリコン酸化膜（ＳｉＯ２）やシリコン（Ｓｉ）やガリウムひ素（ＧａＡｓ）等が挙げられる。屈折率は、任意の波長の光に対して、あるいは特定の波長の光に対する屈折率である。特定の波長の光は、特に光学式濃度測定装置において、コア層を伝搬する光である。これにより、支持部は、支持部との接続部分においてもコア層を伝播する光を全反射させ得る。
【００２７】
また、支持部とコア層との接続部分は、コア層の基板と対向する面における、いずれの位置であってもよく、例えば、幅方向の中央位置であってよい。さらには、支持部とコア層との接続部分は、コア層の幅方向の端面におけるいずれの位置であってもよい。また、支持部のコア層との接続部分は、コア層の長手方向に沿って断続的に存在させてもよい。これにより、コア層は長手方向において一部に支持部に接触しない外表面が増加するので、エバネッセント波と被測定気体または被測定液体との相互作用領域を拡大し得る。また、支持部のコア層との接続部分は、コア層の幅方向におけるコア層の端から該コア層の中央位置に近づくにつれて、コア層の長手方向に広がる形状であってもよい。このような形状であることにより、コア層の長手方向に沿って、支持部の無い領域から支持部の有る領域に向かう場合（またはその逆の場合）に、コア層の周囲の状況が段階的に変化する。その結果、コア層を伝搬する光にとって急激な周囲状況の変化を抑制できるため、コア層を伝搬する光の散乱損失を抑えることが可能となる。
【００２８】
支持部の形成方法の一例としては、ＳＯＩ（Ｓｉｌｉｃｏｎ  Ｏｎ  Ｉｎｓｕｌａｔｏｒ）基板の埋め込み酸化膜（ＢＯＸ：Ｂｕｒｉｅｄ  Ｏｘｉｄｅ）層（ＳｉＯ２層）をエッチングすることで、コア層（Ｓｉ層）と基板（Ｓｉ層）をＢＯＸ層で支持する構造を形成することができる。
【００２９】
＜突起部＞
突起部は、基板およびコア層に挟まれる空間領域において支持部とは異なる位置に配置されている。また、突起部は、コア層の幅方向の中央位置から外れた位置で最大高さである。ただし、突起部は、コア層の長手方向の全域に亘って、コア層の幅方向の中央位置から外れた位置で最大高さでなくてよい。例えば、突起部は、コア層の長手方向の少なくとも一部の領域においてコア層の幅方向の中央位置から外れた位置で最大高さであって、別の一部の領域においてコア層の幅方向の中央位置で最大高さであってよい。また、突起部は、基板からコア層に向かって突出する。なお、基板およびコア層の間で支持部とは異なる位置とは、基板およびコア層に挟まれる空間領域において、長手方向および幅方向の少なくとも一方で支持部が存在しない位置である。
【００３０】
また、突起部は、支持部と同一の材料で形成されていてよい。これにより、コア層の厚さ方向において、支持部と重複する領域に配置される突起部がリソグラフィ技術およびエッチング技術などを用いて、容易に形成され得る。また、突起部は山形状であってよい。これにより、長手方向に垂直な面内でコア層が例えば矩形形状である構成では、突起部が山形状であるとコア層の底面と突起部の表面とが平行にならず、コア層と突起部との間でのスティッキングが発生しにくくなる。突起部が山形状でない構成でも、コア層の底面と、突起部のコア層に対向する表面とが平行でないことで、同様の効果が得られる。なお、突起部の山形状は、コア層の厚さ方向に垂直な任意の方向、例えば、コア層の長手方向から見た形状である。また、突起部はコア層の幅方向において非対称であってもよいが、好ましくは対称であってよい。コア層の幅方向において対称とは、当該幅方向に垂直な直線を対称軸とした線対称を意味する。これにより、コア層が幅方向に対称な構造をしている場合、突起部も幅方向に対称構造をしていることで、コア層の直下方向に突起部の無い領域のコア層から、コア層の直下方向に突起部が有る領域のコア層に光が進行して行く際に、光のモード変換が起こりにくくなり、モード変換による伝搬ロスが小さくなる。また、突起部は、コア層の幅方向の中央位置から、コア層の幅の３%以上離れた位置で最大の高さを有してよく、好ましくはコア層の幅の１０%以上離れた位置で最大の高さを有し、より好ましくはコア層の幅の２０%以上離れた位置で最大の高さを有し、さらに好ましくはコア層の幅の３０%以上離れた位置で最大の高さを有してよい。また、突起部は、コア層の幅方向の中央位置から、１００ｎｍ以上離れた位置で最大の高さを有してよく、好ましくはコア層の幅の３００ｎｍ以上離れた位置で最大の高さを有し、より好ましくはコア層の幅の６００ｎｍ以上離れた位置で最大の高さを有し、さらに好ましくはコア層の幅の９００ｎｍ以上離れた位置で最大の高さを有してよい。これにより、染み出すエバネッセント波の突起部に到達する割合を低減でき、突起部の最大高さの存在位置をコア層の幅方向の中央位置から大きくずらすほど、突起部によるエバネッセント波の光吸収をより低減させ得る。また、突起部の最大高さは、コア層および基板の間隔の１／２０以上であってよい。これにより、コア層のスティッキング発生がより抑制され得る。また、突起部の最大高さは、１００ｎｍ以上であってよい。これにより、コア層のスティッキング発生がいっそう抑制され得る。また、突起部は、コア層の長手方向に沿って断続的に存在してよい。これにより、突起部の長手方向における合計の長さが短くなるので、突起部によるエバネッセント波の光吸収がいっそう抑制され得る。
【００３１】
＜光学式濃度測定装置＞
本発明の各実施態様に係る光学式濃度測定装置は、本発明の各実施態様に係る光導波路と、コア層に光を入射可能な光源と、コア層を伝搬した光を受光可能な検出部と、を備える。
【００３２】
以下、光学式濃度測定装置を構成する各構成要件について、具体例を挙げて説明する。
【００３３】
＜光源＞
光源は、コア層に光を入射可能であれば特に制限されない。ガスの測定に赤外線を用いる場合には光源として、白熱電球やセラミックヒータ、ＭＥＭＳ（Ｍｉｃｒｏ  Ｅｌｅｃｔｒｏ  Ｍｅｃｈａｎｉｃａｌ  Ｓｙｓｔｅｍｓ）ヒータや赤外線ＬＥＤ（Ｌｉｇｈｔ  Ｅｍｉｔｔｉｎｇ  Ｄｉｏｄｅ）などを用いることができる。光源は光導波路と光接続可能な構成であればどのような配置でもよい。例えば、光源は、光導波路と同じ個体内に光導波路に隣接して配置してもよいし、別の個体として光導波路から一定の距離を置いて配置されてもよい。また、ガスの測定に紫外線を用いる場合には光源として、水銀ランプや紫外線ＬＥＤなどを用いることができる。また、ガスの測定にＸ線を用いる場合には光源として、電子ビームや電子レーザーなどを用いることができる。
【００３４】
光学式濃度測定装置に備えられる光導波路のコア層を伝搬する光は、アナログ信号としての赤外線であってもよい。ここで、アナログ信号としての赤外線とは、光のエネルギーの変化を０（低レベル）および１（高レベル）の２値で判定するのではなく、光のエネルギーの変化量を扱う信号であることを意味する。これにより、光学式濃度測定装置をセンサや分析装置に適用することができる。またこの場合、赤外線の真空波長は２μｍ以上１２μｍ以下であってもよい。この波長帯は環境に代表的に浮遊するガス（ＣＯ２、ＣＯ、ＮＯ、Ｎ２Ｏ、ＳＯ２、ＣＨ４、Ｈ２Ｏ、Ｃ２Ｈ６Ｏ等）が吸収する波長帯である。これにより本実施態様に係る光学式濃度測定装置をガスセンサとして利用することができる。
【００３５】
＜検出部＞
検出部は、光導波路のコア層を伝搬した光を受光可能であれば特に制限されない。ガスの測定に赤外線を用いる場合には検出部として、焦電センサ（Ｐｙｒｏｅｌｅｃｔｒｉｃ  ｓｅｎｓｏｒ）、サーモパイル（Ｔｈｅｒｍｏｐｉｌｅ）あるいはボロメータ（Ｂｏｌｏｍｅｔｅｒ）等の熱型赤外線センサや、ダイオードあるいはフォトトランジスタ等の量子型赤外線センサ等を用いることができる。また、ガスの測定に紫外線を用いる場合には検出部として、ダイオードやフォトトランジスタ等の量子型紫外線センサ等を用いることができる。また、ガスの測定にＸ線を用いる場合には検出部として、各種半導体センサを用いることができる。
【００３６】
〔実施形態〕
本発明の実施形態による光導波路および光学式濃度測定装置について図１から図１５を用いて説明する。
【００３７】
図１は、本実施形態による光学式濃度測定装置１の概略構成を示す図であるとともに、本実施形態による光導波路１０を利用したＡＴＲ法の概念図でもある。
【００３８】
図１に示すように、光学式濃度測定装置１は、濃度などを検出するガスが存在する外部空間２に設置されて使用される。光学式濃度測定装置１は、本実施形態による光導波路１０と、光導波路１０に備えられたコア層１１に光（本実施形態では赤外線ＩＲ）を入射可能な光源２０と、コア層１１を伝搬した赤外線ＩＲを受光可能な光検出器（検出部の一例）４０とを備えている。
【００３９】
光導波路１０は、基板１５と、赤外線ＩＲ（光の一例）が伝搬可能なコア層１１と、基板１５の少なくとも一部とコア層１１の一部とを断続的に接続することにより、基板１５に対してコア層１１を支持する支持部１７と、基板１５からコア層１１に向かって突出する突起部１８とを備えている。コア層１１および基板１５はシリコン（Ｓｉ）で形成され、支持部１７および突起部１８は二酸化ケイ素（ＳｉＯ２）で形成されている。
【００４０】
基板１５は例えば板状を有し、コア層１１は、例えば、直方体形状を、部分的に有している。また、図２に示すように、コア層１１は、基板１５の主面に垂直な方向を軸に直方体を湾曲させた、曲線状に延びる部分を有している。
【００４１】
図１に示すように、光導波路１０は、コア層１１の長手方向の一端部に形成されたグレーティングカプラ１１８と、コア層１１の長手方向の他端部に形成されたグレーティングカプラ１１９とを有している。グレーティングカプラ１１８は、光源２０の出射方向に配置されている。なお、本実施形態では、光導波路１０は、積層方向が鉛直方向に平行であり、基板１５の主面が鉛直下方側に向くように設置されている。光源２０の出射方向とは、このように光導波路１０が設置された状態における、光源２０の鉛直下方である。グレーティングカプラ１１８は、光源２０から入射する赤外線ＩＲを、コア層１１を伝搬する赤外線ＩＲに結合するようになっている。グレーティングカプラ１１９は、光検出器４０に対向する方向に配置されている。なお、光検出器４０に対向する方向とは、上述のように光導波路１０が設置された状態における、光検出器４０の鉛直下方である。グレーティングカプラ１１９は、コア層１１を伝搬する赤外線ＩＲを取り出して光検出器４０に向けて出射するようになっている。
【００４２】
図３は図１中のＡ−Ａ線で切断した断面を示す端面図であり、図４は図１中のＢ−Ｂ線で切断した断面を示す端面図である。
【００４３】
図１、図３、図４に示すように、光導波路１０は、支持部１７が設けられた領域を除いて、コア層１１および基板１５の間に、クラッド層などの所定の層を有さずに空隙１３を有する構造をしている。
【００４４】
図３に示すように、コア層１１と接続される支持部１７の接続部分１７１は、コア層１１の幅方向においてコア層１１の中央位置ｃｐと重なっている。また、図１に示すように、支持部１７の接続部分１７１は長手方向に沿って、断続的に存在している。
【００４５】
図１、図２に示すように、コア層１１の長手方向において、突起部１８は基板１５およびコア層１１に挟まれる空間領域に支持部１７とは異なる位置に配置されている。また、図３、図４に示すように、コア層１１の幅方向において、突起部１８は、当該空間領域に支持部１７とは異なる位置に配置されている。また、突起部１８は、コア層１１の幅方向の中央位置ｃｐから外れた位置で最大高さを有する。また、突起部１８は、コア層１１の長手方向から見て山形状である。また、突起部１８は、コア層１１の幅方向において対称である。また、突起部１８は、コア層の幅方向の中央位置ｃｐから、コア層１１の幅の３％以上離れた位置で最大高さを有する。また、突起部１８の最大高さは、コア層１１および基板１５の間隔ｇｐの１／２０以上であって、より具体的には１００ｎｍ以上である。また、突起部１８は、図１、図２に示すように、長手方向に沿ってコア層１１の曲線状に延びる部分の直下にも配置されている。また、コア層１１の曲線状に延びる部分において、突起部１８は、コア層１１の内周側もしくは外周側に偏った位置でコア層１１の直下に配置されている（図２では内周側）。また、コア層１１の曲線状に延びる部分において、突起部１８は、コア層１１の厚み方向から見て当該部分に沿って延在する。言い換えると、コア層１１の曲線状に延びる部分において、突起部１８は、コア層１１の曲線状に延びる部分の幅方向における同じ位置に配置されている。
【００４６】
なお、コア層１１の曲線状に延びる部分における突起部１８は、コア層１１の曲線に沿っていなくてもよい。例えば、図５に示すように、コア層１１の曲線状に延びる部分において、突起部１８は、当該曲線状に延びる部分とは異なる曲率半径を有する曲線状であって、突起部１８の一部がコア層１１の内周側や外周側に偏在するように配置されてもよい。
【００４７】
なお、突起部１８の形状や、コア層１１の幅方向における突起部１８の位置は、以下の方法で確認される。突起部１８の断面形状を確認する場合は、長手方向に垂直な面を電子顕微鏡（ＳＥＭ）で観察することによって確認される。また、幅方向における突起部１８のコア層１１との相対位置に関しては、光導波路１０のコア層１１側から、集束イオンビーム（ＦＩＢ）照射によるダメージ層ＤＭの形成により、コア層１１の影ＷＳを基板に転写し、その後で、コア層１１を剥離し、剥離した表面に転写されたコア層１１の影ＷＳと突起部１８とを電子顕微鏡（ＳＥＭ）で観察することにより、幅方向における突起部１８のコア層１１との相対位置が確認される。より詳細に説明すると、コア層１１が空中に浮いている箇所において、基板１５の主面に対して垂直な方向に集束イオンビーム照射をすることで、集束イオンビームによるダメージ層ＤＭによってコア層１１の影ＷＳが基板１５に転写される。転写されたコア層１１の影ＷＳは、基板１５の主面と平行な面内におけるコア層１１の位置を示しているため、転写されたコア層１１の影ＷＳと突起部１８の位置を比較することで、突起部１８とコア層１１の相対位置を判断することができる。上記手法を用いて、実際に観察したコア層１１の影ＷＳと突起部１８の様子を図１９に示す。基板１５の主面において、集束イオンビームによるダメージ層ＤＭが形成された領域と、集束イオンビームによるダメージ層ＤＭが形成されなかったコア層１１の影ＷＳの領域とでは、ＳＥＭで観察を行った際にコントラストに明確な差ができている。山形状の突起部１８の頂点を示す線と、基板１５に転写されたコア層１１の影ＷＳの幅方向の中央位置ｃｐとは、幅方向において約３００ｎｍのずれあることが確認される。すなわち、コア層１１の幅方向の中央位置ｃｐから外れた位置で最大高さとなるように基板１５からコア層１１に向かって突出する突起部１８が形成されていることわかる。
【００４８】
ここで、本実施形態による光導波路１０の効果について、図１８に示す幅方向の中央位置ｃｐに突起部１８’が設けられた光導波路１０’と比較しながら説明する。
【００４９】
ＡＴＲ法を用いたセンサは、コア層内ではシングルモードで光を伝搬させることが多い。本実施形態による光学式濃度測定装置１でも、光導波路１０に備えられたコア層１１内ではシングルモードで光（赤外線）を伝搬させる例を挙げている。ただし、マルチモード伝搬させる場合でも、コア層１１の中央を伝搬する光成分は存在するため、本発明の効果は得られる。図３、図４に示すように、コア層１１内をシングルモードで赤外線ＩＲを伝搬させると、赤外線ＩＲの光軸ＯＡは、赤外線ＩＲの伝搬方向である長手方向に直交する平面で切断した断面において、コア層１１のほぼ中心に位置する。また、このとき、コア層１１の周りにしみ出すエバネッセント波ＥＷは、光軸ＯＡに近いコア層１１の外表面付近で多くなる。それゆえ、エバネッセント波ＥＷは、コア層１１および基板１５に挟まれる空間領域において、光軸ＯＡと重なるコア層１１の中心からの距離が最短となる、幅方向の中央位置ｃｐ付近で最も多くなる。なお、図１８に示す、幅方向の中央位置ｃｐに突起部１８’が設けられた光導波路１０’のコア層１１’を伝搬する赤外線ＩＲのエバネッセント波ＥＷの分布も、本実施形態の光導波路１０と同様である。
【００５０】
ＡＴＲ法を用いたセンサでは、コア層から染み出るエバネッセント波と被測定物質との相互作用領域を拡大させ（つまりコア層の露出部分を拡大させ）、かつ、被測定物質以外の材料への光の吸収（つまり支持部等による光の吸収）を低減させることで、センサとしての感度を上げられる。スティッキングの抑制のために形成される突起部１８’に関して、図１８に示すように、コア層１１’の幅方向の中央位置ｃｐに設けられることが最も単純な形状として考えられる。
【００５１】
しかしながら、光導波路１０’では、突起部１８’が、光Ｌの伝搬方向である長手方向に対して直交する平面内（すなわち図１８に示した断面）において、コア層１１’の幅方向の中央位置ｃｐの、コア層１１’と基板１５’との間に設けられていることで、突起部１８’の形成材料によるエバネッセント波ＥＷの吸収が最も顕著に生じる。その結果、光導波路１０’を用いたセンサの感度が低下してしまう。
【００５２】
これに対し、図２、図４に示すように、本実施形態による光導波路１０は、光導波路１０’と同様に、コア層１１および基板１５の間に挟まれる空間領域に突起部１８を設け、スティッキングを抑制する構造を有している。長手方向に垂直な断面において、コア層１１は、コア層１１の中心に関して対称構造を有している。コア層１１を伝搬する赤外線ＩＲがシングルモードの場合、コア層１１を伝搬する赤外線ＩＲの光軸ＯＡはコア層１１の中央に重なる。そこで、図２、図４に示すように、突起部１８は、コア層１１の幅方向における中央位置ｃｐからどちらかの端にずらされて設けられている。これにより、エバネッセント波ＥＷが最も集中する領域から突起部１８を遠ざけることができる。すなわち、突起部１８の最大高さとなる位置は、長手方向に垂直な断面において、コア層１１の幅方向の中央位置ｃｐに位置しない。また、光導波路１０全体の小型化のために、コア層１１は曲線状に延びる部分を有しており、突起部１８は当該曲線状に延びるコア層１１の直下に配置されている。このように、光導波路１０は、直線状の部分よりスティッキング耐久性が低い曲線状の部分におけるコア層１１のスティッキング耐久性を向上し得る。また、突起部１８は、コア層１１の曲線状の部分において、コア層１１の内周側や外周側に偏った位置でコア層１１の直下に配置されている（図２では内周側）。コア層１１の曲線状に延びた部分を伝搬する光は、コア層１１の曲率半径によっては、コア層１１の外周側に若干偏ってコア層１１内を伝搬するため、コア層１１の内周側に偏った位置に突起部１８を配置する構成がより好ましい。突起部１８がコア層１１の曲線状に延びる部分において、コア層１１の内周側に偏った位置でコア層１１の直下に配置された光導波路１０は、突起部１８とコア層１１を伝搬する赤外線ＩＲの距離がより離れるので、突起部１８によるエバネッセント波ＥＷの光吸収をより低減させ得る。ただし、突起部１８がコア層１１の外周側に偏った位置で配置された場合でも、突起部１８と赤外線ＩＲの距離が離れるため、一定の効果はある。
【００５３】
次に、本実施形態による光導波路１０の製造方法について図１から図４を参照しつつ図６から図１６を用いて説明する。図６は、光導波路１０の製造工程平面図を示している。図７は、図６中に示すＣ−Ｃ線、Ｄ−Ｄ線で切断した光導波路１０の製造工程端面図を示している。図８は、光導波路１０の製造工程平面図を示している。図９は、図８中に示すＣ−Ｃ線、Ｄ−Ｄ線で切断した光導波路１０の製造工程端面図を示している。図１０は、光導波路１０の製造工程平面図を示している。図１１は、図１０中に示すＣ−Ｃ線で切断した光導波路１０の製造工程端面図を示している。図１２は、図１０中に示すＤ−Ｄ線で切断した光導波路１０の製造工程端面図を示している。図１３は、光導波路１０の製造工程平面図を示している。図１４は、図１３中に示すＣ−Ｃ線で切断した光導波路１０の製造工程端面図を示している。図１５は、図１３中に示すＤ−Ｄ線で切断した光導波路１０の製造工程端面図を示している。図１６は、別の実施形態の光導波路主要部を、図１３中に示す光導波路主要部１０ａのＣ−Ｃ線と同じ位置で切断した製造工程端面図を示している。
【００５４】
まず、シリコンで形成され最終的に基板１５となる支持基板１５ａと、シリコンで形成されコア層１１が形成される活性基板１１ａのいずれか一方、または両方にＳｉＯ２膜を形成し、このＳｉＯ２膜を挟むようにして支持基板１５ａおよび活性基板１１ａを貼り合わせて熱処理して結合する。その後、活性基板１１ａを所定の厚さまで研削・研磨するなどして活性基板１１ａの膜厚を調整する。これにより、図６、図７に示すように、支持基板１５ａと、支持基板１５ａ上に形成されたＢＯＸ層１７ａと、ＢＯＸ層１７ａ上に形成された活性基板１１ａとを有し、「シリコン−絶縁層−シリコン」構造を有するＳＯＩ基板１００が形成される。
【００５５】
次に、ＳＯＩ基板１００をリソグラフィ技術およびエッチング技術を用いて活性基板１１ａをエッチングし、断面矩形で長手方向に延伸するコア層１１を形成する。これにより、図８、図９に示すように、板状の支持基板１５ａと、支持基板１５ａ上に形成され板状のＢＯＸ層１７ａと、ＢＯＸ層１７ａ上の一部に形成され四角柱状のコア層１１とを有する光導波路主要部１０ａを形成する。
【００５６】
次に、図１０から図１２に示すように、コア層１１およびＢＯＸ層１７ａの一部を覆うマスクパターンＭ１、マスクパターンＭ２を形成する。図１０、図１１に示すように、マスクパターンＭ１は、コア層１１の幅方向の中央位置に対してどちらかの端側に偏って配置されている。さらに、マスクパターンＭ１は、コア層１１の曲線状に延びる部分においては、当該部分の内周側もしくは外周側に偏って配置されている（図１０、図１１では内周側）。図１０、図１２に示すように、マスクパターンＭ２は、コア層１１の幅方向の中央位置に対称に配置され、マスクパターンＭ１より幅方向に長い。マスクパターンＭ１、マスクパターンＭ２は、フォトレジストでもよいし、シリコン窒化膜等のハードマスクでもよい。また、マスクパターンＭ１とマスクパターンＭ２は、一体（すなわち同一）のマスク層であってもよく、異なるマスク層であってもよい。
【００５７】
次に、マスクパターンＭ１、マスクパターンＭ２をマスクとして光導波路主要部１０ａのＢＯＸ層１７ａの一部をウェットエッチングなどで除去する。これにより、図１３、図１４に示すように、コア層１１の幅方向における中央位置から片側であって、曲線状に延びる部分の内周側もしくは外周側に偏った位置に存在する突起部１８が形成される（図１３、図１４では内周側）。また、図１３、図１５に示すように、コア層１１の幅方向における中央位置ｃｐに存在する支持部１７が形成される。なお、図１３から図１５では、支持部１７および突起部１８を形成する部分以外のＢＯＸ層１７ａが除去されているが、必ずしも完全に除去されずに、図１６に示す別の実施形態のように、ＢＯＸ層１７ａの残りなどで支持基板１５ａを覆う薄膜１９を形成してよい。なお、このときの突起部１８の最大高さは、コア層１１の直下の領域における当該薄膜１９表面のうち、最も低くなる位置を基準としたときの、突起部１８の山形状の頂点高さである。
【００５８】
その後、マスクパターンＭ１、マスクパターンＭ２をエッチングする。なお、本実施形態ではグレーティングカプラの形成を省略したが、図１に示すようなグレーティングカプラ１１８、グレーティングカプラ１１９を形成する場合は、図８に示すコア層１１の形成と当時もしくはその前後にグレーティングカプラ１１８、グレーティングカプラ１１９を形成し、その後、図１０に示すマスクパターンＭ１、マスクパターンＭ２を形成するとよい。コア層１１の長手方向の一端部にスリット状のグレーティングカプラ１１８を形成し、コア層１１の長手方向の他端部にスリット状のグレーティングカプラ１１９を形成すると図１に示した構造となる。
【００５９】
次に、支持基板１５ａを所定領域で切断して光導波路主要部１０ａを個片化する。これにより、突起部１８が、コア層１１の幅方向における中央位置ｃｐから外れて、偏った位置に存在する光導波路１０（図１から図４参照）が完成する。
【００６０】
さらに、図１に示すように、光導波路１０のグレーティングカプラ１１８に赤外線ＩＲを入射できるように光源２０を設置し、光導波路１０のグレーティングカプラ１１９から出射する赤外線ＩＲを受光できるように光検出器４０を配置することにより、光学式濃度測定装置１が完成する。
【００６１】
このように、光導波路１０は、突起部１８が、コア層１１の長手方向に垂直な断面における中心に重なる（コア層１１を伝搬する光の光軸ＯＡに対して最短距離である）外表面からずれて、コア層１１の幅方向の中央位置ｃｐから一方の端側に存在する構造を有することで、コア層１１におけるスティッキングの発生を抑制しながら、突起部１８による被測定物質ＭＯの検出特性の低下を防止し得る。
【００６２】
以上説明したように、本実施形態によれば、コア層１１におけるスティッキングの発生を抑制しながら、センサの感度の低下を抑える突起部１８を持った光導波路１０および光学式濃度測定装置１を提供することができる。
【００６３】
また、本実施形態による光導波路１０は、突起部１８による当該エバネッセント波ＥＷの吸収量を減少させることができる。これにより、本実施形態による光導波路１０は、種々の仕様態様において高感度に安定して被測定物質ＭＯを検出することができる。
【符号の説明】
【００６４】
１  光学式濃度測定装置
２  外部空間
１０、１０’  光導波路
１０ａ  光導波路主要部
１１、１１’  コア層
１１ａ  活性基板
１３  空隙
１５、１５’  基板
１５ａ  支持基板
１７  支持部
１７ａ  ＢＯＸ層
１８、１８’  突起部
１９  薄膜
４０  光検出器
５１  構造体
５３  物質
１００  ＳＯＩ基板
１１８，１１９  グレーティングカプラ
１７１  第１の支持部の接続部分
ｃｐ  コア層の幅方向の中央位置
ＤＭ  集束イオンビームによるダメージ層
Ｅ１  構造体の内部を伝播する光の強度
Ｅ２  エバネッセント波の強度
ＥＷ  エバネッセント波
ＩＲ  赤外線
Ｌ  光
ＭＯ  被測定物質
ＯＡ  光軸
ＷＳ  コア層の影
【図１】
2020038189.tif 000003
【図２】
2020038189.tif 000004
【図３】
2020038189.tif 000005
【図４】
2020038189.tif 000006
【図５】
2020038189.tif 000007
【図６】
2020038189.tif 000008
【図７】
2020038189.tif 000009
【図８】
2020038189.tif 000010
【図９】
2020038189.tif 000011
【図１０】
2020038189.tif 000012
【図１１】
2020038189.tif 000013
【図１２】
2020038189.tif 000014
【図１３】
2020038189.tif 000015
【図１４】
2020038189.tif 000016
【図１５】
2020038189.tif 000017
【図１６】
2020038189.tif 000018
【図１７】
2020038189.tif 000019
【図１８】
2020038189.tif 000020
【図１９】
2020038189.tif 000021